(57)【要約】【課題】利用者の情報処理端末を用いて、オリジナル印面の浸透印を迅速かつ容易に入手する。【解決手段】利用者端末３０と、浸透印製造装置２０と、浸透印製造管理サーバ１０と、を備えた浸透印製造システム１００において、未加工の浸透印５は、浸透印５のシリアル番号及び浸透印製造管理サーバ１０のＵＲＬを含むコード６、７とともに販売される。浸透印製造管理サーバ１０は、利用者端末３０が読み取ったシリアル番号を受信すると、印面デザイン作成機能を提供し、利用者端末で作成した印面デザインデータを受信すると、シリアル番号と印面デザインデータを対応付けて記憶手段に登録する。また、浸透印製造装置２０からシリアル番号を受信すると、印面デザイン記憶手段を参照して、該当する印面デザインデータを取得し、浸透印製造装置２０に送信するので、浸透印製造装置２０は、受信した印面デザインデータに基づいてオリジナル印面の浸透印を製造する。【選択図】図１
2020199741.tif 000002
【特許請求の範囲】
【請求項１】
ネットワークを介して、未加工の浸透印を購入した利用者が用いる利用者端末及び前記未加工の浸透印からオリジナル印面を有する浸透印を製造する浸透印製造装置のそれぞれと相互に通信可能な浸透印製造管理サーバであって、
前記未加工の浸透印は、該浸透印を一意に識別可能なシリアル番号と、前記浸透印製造管理サーバにアクセスするためのＵＲＬと、を少なくとも含むコードが印字された印刷物とともに販売されており、
前記シリアル番号と印面デザインデータを対応付けて記憶する印面デザイン記憶手段と、
前記利用者端末から、前記シリアル番号を受信する第一のコード受信手段と、
前記利用者端末に、印面デザイン作成機能を提供する印面デザイン作成支援手段と、
前記利用者端末から、作成された前記印面デザインデータを受信する印面デザイン受信手段と、
前記第一のコード受信手段が受信した前記シリアル番号と、前記印面デザイン受信手段が受信した前記印面デザインデータと、を対応付けて前記印面デザイン記憶手段に登録する印面デザイン登録手段と、
前記浸透印製造装置から、前記シリアル番号を受信する第二のコード受信手段と、
前記第二のコード受信手段が受信した前記シリアル番号に基づいて、前記印面デザイン記憶手段を参照し、該当する前記印面デザインデータを取得する印面デザイン取得手段と、
前記印面デザイン取得手段が取得した前記印面デザインデータを前記浸透印製造装置に送信する印面デザイン送信手段と、
を備えることを特徴とする浸透印製造管理サーバ。
【請求項２】
前記浸透印製造装置は、
前記印面デザイン送信手段が送信した前記印面デザインデータに基づいてオリジナル印面の浸透印を製造する、
ことを特徴とする請求項１記載の浸透印製造管理サーバ。
【請求項３】
前記コードは、
前記シリアル番号及び前記ＵＲＬを含む二次元コードと、
前記シリアル番号を含む一次元コードと、
を備え、
前記第一のコード受信手段は、
前記利用者端末が前記二次元コードを読み取ることに基づいて送信した前記シリアル番号を受信し、
前記第二のコード受信手段は、
前記浸透印製造装置が前記一次元コードを読み取ること基づいて送信した前記シリアル番号を受信する、
ことを特徴とする請求項１又は２記載の浸透印製造管理サーバ。
【請求項４】
請求項１乃至３のいずれか１項に記載された浸透印製造管理サーバと、
前記浸透印製造装置と、
を備えたことを特徴とする浸透印製造システム。
【請求項５】
未加工の浸透印を購入した利用者が用いる利用者端末と、前記未加工の浸透印からオリジナル印面を有する浸透印を製造する浸透印製造装置と、前記利用者端末及び前記浸透印製造装置のそれぞれと相互に通信可能な浸透印製造管理サーバと、を備えた浸透印製造システムにおける浸透印製造方法であって、
前記未加工の浸透印は、該浸透印を一意に識別可能なシリアル番号と、前記浸透印製造管理サーバにアクセスするためのＵＲＬと、を少なくとも含むコードが印字された印刷物とともに販売されており、
前記浸透印製造管理サーバは、
前記シリアル番号と印面デザインデータを対応付けて記憶する印面デザイン記憶手段を備え、
前記利用者端末から、前記シリアル番号を受信する第一のコード受信ステップと、
前記利用者端末に、印面デザイン作成機能を提供する印面デザイン作成支援ステップと、
前記利用者端末から、作成された前記印面デザインデータを受信する印面デザイン受信ステップと、
前記第一のコード受信ステップにおいて受信した前記シリアル番号と、前記印面デザイン受信ステップにおいて受信した前記印面デザインデータと、を対応付けて前記印面デザイン記憶手段に登録する印面デザイン登録ステップと、
前記浸透印製造装置から、前記シリアル番号を受信する第二のコード受信ステップと、
前記第二のコード受信ステップにおいて受信した前記シリアル番号に基づいて、前記印面デザイン記憶手段を参照し、該当する前記印面デザインデータを取得する印面デザイン取得ステップと、
前記印面デザイン取得ステップにおいて取得した前記印面デザインデータを前記浸透印製造装置に送信する印面デザイン送信ステップと、
を備え、
前記浸透印製造装置は、
前記シリアル番号を入力するコード入力ステップと、
前記コード入力ステップで入力した前記シリアル番号を前記浸透印製造管理サーバに送信するコード送信ステップと、
前記印面デザイン送信ステップで送信した前記印面デザインデータを受信する印面デザイン受信ステップと、
前記印面デザイン受信ステップが受信した前記印面デザインデータに基づいて、オリジナル印面の浸透印を製造する印面加工ステップと、
を備えることを特徴とする浸透印製造方法。
【請求項６】
未加工の浸透印を購入した利用者が用いる利用者端末と、前記未加工の浸透印からオリジナル印面を有する浸透印を製造する浸透印製造装置と、前記利用者端末及び前記浸透印製造装置のそれぞれと相互に通信可能な浸透印製造管理サーバと、を備えた浸透印製造システムにおける前記浸透印製造装置であって、
前記未加工の浸透印は、該浸透印を一意に識別可能なシリアル番号と、前記浸透印製造管理サーバにアクセスするためのＵＲＬと、を少なくとも含むコードが印字された印刷物とともに販売されており、
前記浸透印製造管理サーバは、
前記シリアル番号と印面デザインデータを対応付けて記憶する印面デザイン記憶手段と、
前記利用者端末から、前記シリアル番号を受信する第一のコード受信手段と、
前記利用者端末に、印面デザイン作成機能を提供する印面デザイン作成支援手段と、
前記利用者端末から、作成された前記印面デザインデータを受信する印面デザイン受信手段と、
前記第一のコード受信手段が受信した前記シリアル番号と、前記印面デザイン受信手段が受信した前記印面デザインデータと、を対応付けて前記印面デザイン記憶手段に登録する印面デザイン登録手段と、
前記浸透印製造装置から、前記シリアル番号を受信する第二のコード受信手段と、
前記第二のコード受信手段が受信した前記シリアル番号に基づいて、前記印面デザイン記憶手段を参照し、該当する前記印面デザインデータを取得する印面デザイン取得手段と、
前記印面デザイン取得手段が取得した前記印面デザインデータを前記浸透印製造装置に送信する印面デザイン送信手段と、
を備え、
前記シリアル番号を入力するコード入力手段と、
前記コード入力手段が入力した前記シリアル番号を前記浸透印製造管理サーバに送信するコード送信手段と、
前記印面デザイン送信手段が送信した前記印面デザインデータを受信する印面デザイン受信手段と、
前記印面デザイン受信手段が受信した前記印面デザインデータに基づいて、オリジナル印面の浸透印を製造する印面加工手段と、
を備えることを特徴とする浸透印製造装置。
【発明の詳細な説明】
【技術分野】
【０００１】
本発明は、オリジナル印面の浸透印を製造する浸透印製造管理サーバ、浸透印製造システム、浸透印製造方法、及び浸透印製造装置に関する。
【背景技術】
【０００２】
インク浸透印には、一般的に既製品と別注品が存在する。既製品は、通常２千〜５千種類、多くて１万種類の姓しか販売されていない。この点、日本人の姓は１０万種類以上と言われており、既製品として購入できない姓を有する人は多い。また、書体も、在庫の都合上１〜２種類程度の品ぞろえしかない場合が多い。
【０００３】
これに対して、別注品では、既製品で販売されていない姓や書体に対応することは可能であるが、製作時間がかかるため、注文してから後日再来店して受け取る必要がある。また、Ｗｅｂ上で注文を受け短納期でインク浸透印を届けるネットショップも存在するが、発送元がよほど近隣でない限り、手元に届くのは翌日以降となる。
【発明の概要】
【発明が解決しようとする課題】
【０００４】
ところで昨今では、スマートフォンやタブレット端末などの情報処理端末が普及している。したがって、このような情報処理端末を用いて、オリジナル印面の浸透印を迅速かつ容易に入手することが望まれていた。
【０００５】
本発明は上記の事情を鑑みてなされたものであり、利用者の情報処理端末を用いて、オリジナル印面の浸透印を迅速かつ容易に入手することができる浸透印製造管理サーバ、浸透印製造システム、浸透印製造方法、及び浸透印製造装置を提供することを目的とする。
【課題を解決するための手段】
【０００６】
上記目的を達成するため、本発明に係る浸透印製造管理サーバは、その一態様として、ネットワークを介して、未加工の浸透印を購入した利用者が用いる利用者端末及び前記未加工の浸透印からオリジナル印面を有する浸透印を製造する浸透印製造装置のそれぞれと相互に通信可能な浸透印製造管理サーバであって、前記未加工の浸透印は、該浸透印を一意に識別可能なシリアル番号と、前記浸透印製造管理サーバにアクセスするためのＵＲＬと、を少なくとも含むコードが印字された印刷物とともに販売されており、前記シリアル番号と印面デザインデータを対応付けて記憶する印面デザイン記憶手段と、前記利用者端末から、前記シリアル番号を受信する第一のコード受信手段と、前記利用者端末に、印面デザイン作成機能を提供する印面デザイン作成支援手段と、前記利用者端末から、作成された前記印面デザインデータを受信する印面デザイン受信手段と、前記第一のコード受信手段が受信した前記シリアル番号と、前記印面デザイン受信手段が受信した前記印面デザインデータと、を対応付けて前記印面デザイン記憶手段に登録する印面デザイン登録手段と、前記浸透印製造装置から、前記シリアル番号を受信する第二のコード受信手段と、前記第二のコード受信手段が受信した前記シリアル番号に基づいて、前記印面デザイン記憶手段を参照し、該当する前記印面デザインデータを取得する印面デザイン取得手段と、前記印面デザイン取得手段が取得した前記印面デザインデータを前記浸透印製造装置に送信する印面デザイン送信手段と、を備えることを特徴とする。
【０００７】
また、本発明に係る浸透印製造システムは、その一態様として、前記浸透印製造管理サーバと、前記浸透印製造装置と、を備えることを特徴とする。
【０００８】
また、本発明に係る浸透印製造方法は、その一態様として、未加工の浸透印を購入した利用者が用いる利用者端末と、前記未加工の浸透印からオリジナル印面を有する浸透印を製造する浸透印製造装置と、前記利用者端末及び前記浸透印製造装置のそれぞれと相互に通信可能な浸透印製造管理サーバと、を備えた浸透印製造システムにおける浸透印製造方法であって、前記未加工の浸透印は、該浸透印を一意に識別可能なシリアル番号と、前記浸透印製造管理サーバにアクセスするためのＵＲＬと、を少なくとも含むコードが印字された印刷物とともに販売されており、前記浸透印製造管理サーバは、前記シリアル番号と印面デザインデータを対応付けて記憶する印面デザイン記憶手段を備え、前記利用者端末から、前記シリアル番号を受信する第一のコード受信ステップと、前記利用者端末に、印面デザイン作成機能を提供する印面デザイン作成支援ステップと、前記利用者端末から、作成された前記印面デザインデータを受信する印面デザイン受信ステップと、前記第一のコード受信ステップにおいて受信した前記シリアル番号と、前記印面デザイン受信ステップにおいて受信した前記印面デザインデータと、を対応付けて前記印面デザイン記憶手段に登録する印面デザイン登録ステップと、前記浸透印製造装置から、前記シリアル番号を受信する第二のコード受信ステップと、前記第二のコード受信ステップにおいて受信した前記シリアル番号に基づいて、前記印面デザイン記憶手段を参照し、該当する前記印面デザインデータを取得する印面デザイン取得ステップと、前記印面デザイン取得ステップにおいて取得した前記印面デザインデータを前記浸透印製造装置に送信する印面デザイン送信ステップと、を備え、を備え、前記浸透印製造装置は、前記シリアル番号を入力するコード入力ステップと、前記コード入力ステップで入力した前記シリアル番号を前記浸透印製造管理サーバに送信するコード送信ステップと、前記印面デザイン送信ステップで送信した前記印面デザインデータを受信する印面デザイン受信ステップと、前記印面デザイン受信ステップが受信した前記印面デザインデータに基づいて、オリジナル印面の浸透印を製造する印面加工ステップと、を備えることを特徴とする。
【０００９】
また、本発明に係る浸透印製造装置は、その一態様として、未加工の浸透印を購入した利用者が用いる利用者端末と、前記未加工の浸透印からオリジナル印面を有する浸透印を製造する浸透印製造装置と、前記利用者端末及び前記浸透印製造装置のそれぞれと相互に通信可能な浸透印製造管理サーバと、を備えた浸透印製造システムにおける前記浸透印製造装置であって、前記未加工の浸透印は、該浸透印を一意に識別可能なシリアル番号と、前記浸透印製造管理サーバにアクセスするためのＵＲＬと、を少なくとも含むコードが印字された印刷物とともに販売されており、前記浸透印製造管理サーバは、前記シリアル番号と印面デザインデータを対応付けて記憶する印面デザイン記憶手段と、前記利用者端末から、前記シリアル番号を受信する第一のコード受信手段と、前記利用者端末に、印面デザイン作成機能を提供する印面デザイン作成支援手段と、前記利用者端末から、作成された前記印面デザインデータを受信する印面デザイン受信手段と、前記第一のコード受信手段が受信した前記シリアル番号と、前記印面デザイン受信手段が受信した前記印面デザインデータと、を対応付けて前記印面デザイン記憶手段に登録する印面デザイン登録手段と、前記浸透印製造装置から、前記シリアル番号を受信する第二のコード受信手段と、前記第二のコード受信手段が受信した前記シリアル番号に基づいて、前記印面デザイン記憶手段を参照し、該当する前記印面デザインデータを取得する印面デザイン取得手段と、前記印面デザイン取得手段が取得した前記印面デザインデータを前記浸透印製造装置に送信する印面デザイン送信手段と、を備え、前記シリアル番号を入力するコード入力手段と、前記コード入力手段が入力した前記シリアル番号を前記浸透印製造管理サーバに送信するコード送信手段と、前記印面デザイン送信手段が送信した前記印面デザインデータを受信する印面デザイン受信手段と、前記印面デザイン受信手段が受信した前記印面デザインデータに基づいて、オリジナル印面の浸透印を製造する印面加工手段と、を備えることを特徴とする。
【発明の効果】
【００１０】
本発明によれば、利用者の情報処理端末を用いて、オリジナル印面の浸透印を迅速かつ容易に入手することができる。
【図面の簡単な説明】
【００１１】
【図１】本発明の実施の形態に係る浸透印製造システムの概略構成図である。
【図２】（ａ）は、本発明の実施の形態に係る浸透印製造システムにおいて販売される浸透印セットの構成を模式的に示す図、（ｂ）は、本発明の実施の形態に係る浸透印製造システムの印面デザインＤＢのデータ構成を模式的に示す図である。
【図３】本発明の実施の形態に係る浸透印製造管理サーバの概略構成図である。
【図４】本発明の実施の形態に係る浸透印製造装置の外観構成図である。
【図５】本発明の実施の形態に係る浸透印製造装置の概略構成図である。
【図６】本発明の実施の形態に係る利用者端末の概略構成図である。
【図７】本発明の実施の形態に係る浸透印製造システムの印面デザイン作成処理の流れを示すフローチャートである。
【図８】本発明の実施の形態に係る浸透印製造システムの印面加工処理の流れを示すフローチャートである。
【発明を実施するための形態】
【００１２】
以下、本発明の実施の形態について図面を用いて説明する。
【００１３】
＜浸透印製造システムの構成＞
図１は、本発明の実施の形態に係る浸透印製造システム１００の概略構成図である。浸透印製造システム１００は、利用者３が未加工の浸透印５を購入して、自らの利用者端末３０で印面デザインを作成するとともに、購入した未加工の浸透印５を浸透印製造装置２０が設置されている店２に持ち込むことにより、利用者３が作成した印面デザインの浸透印５を製造することができるサービス（以下、浸透印オンデマンド製造サービスいう）を提供するコンピュータシステムである。浸透印製造システム１００では、利用者端末３０を用いて印面をデザインすることができ、また、購入した浸透印５を浸透印製造装置２０にセットするだけで所望の印面に加工することができるので、利用者３は、所望の印面デザインの浸透印５を迅速かつ容易に入手することが可能である。
【００１４】
浸透印製造システム１００は、図１に示すように、浸透印オンデマンド製造サービスを提供する管理会社１が有する浸透印製造管理サーバ１０と、店２に設置された浸透印製造装置２０と、利用者３が有する利用者端末３０と、浸透印製造管理サーバ１０、浸透印製造装置２０及び利用者端末３０をそれぞれ相互に通信可能とする、例えば、インターネット網、公衆網、ＬＡＮ（Local Area Network）などの構内網、などからなる通信ネットワーク４０、とを備えている。
【００１５】
ここで、浸透印製造システム１００に用いられる浸透印セット５０について説明する。浸透印製造システム１００では、利用者３は、この浸透印セット５０を購入することが前提となる。図２（ａ）は、浸透印セット５０の構成を模式的に説明する図である。
【００１６】
浸透印セット５０は、未加工の浸透印５と、印刷物と、を同封する。印刷物には、二次元コード６、及び一次元コード７がそれぞれ印字されている。
【００１７】
浸透印５は、印面が多孔質樹脂で形成されたフラットタイプの浸透印である。浸透印製造装置２０が印面を加熱することにより印影を作成する。加熱箇所は非浸透部となり、非加熱箇所が印影部分となる。
【００１８】
二次元コード６は、例えば、マトリックス式のＱＲコード（登録商標）が好適であるが、ＱＲコード（登録商標）に限定されるものではない。他の二次元コードでも適用可能であり、マトリックス式の他の種類の二次元コードやスタック式の二次元コードでもよい。また、一次元コード７は、例えば、ＪＡＮコード、ＩＴＦコード、ＣＯＤＥ３９などで構成される。
【００１９】
二次元コード６に格納されている情報には、図２（ａ）に示すように、少なくとも、浸透印製造管理サーバ１０のアドレスを示すＵＲＬ（Uniform Resource Locator）と、浸透印５を一意に識別可能な製造シリアル番号と、が含まれている。二次元コード６は、利用者端末３０が使用するために用意したコードである。
【００２０】
一次元コード７に格納されている情報には、図２（ａ）に示すように、少なくとも、浸透印５を一意に識別可能な製造シリアル番号が含まれている。一次元コード７は、浸透印製造装置２０が使用するために用意したコードである。
【００２１】
なお、印刷物には、二次元コード６及び一次元コード７が印字されている他、二次元コード６及び一次元コード７に含まれる情報、つまり浸透印製造管理サーバ１０のアドレスを示すＵＲＬ、及び浸透印５の製造シリアル番号が直接印字されている。これは、利用者端末３０が二次元コード６を読み取る機能を有していない場合に備えたものである。
【００２２】
図３は、浸透印製造管理サーバ１０の機能構成図である。浸透印製造管理サーバ１０は、浸透印製造システム１００全体を統括する装置である。
【００２３】
浸透印製造管理サーバ１０は、図３に示すように、例えば、ハードディスク等から構成され、浸透印製造システム１００が管理するデータを記憶する記憶部１１と、例えば、ＣＰＵ及びメモリ等から構成され、記憶部１１の制御や、各種データの転送、種々の演算、データの一時的な格納等を行うことにより、本実施の形態の後述する印面デザイン作成処理及び印面加工処理を実行する制御部１２と、通信ネットワーク４０を介して浸透印製造装置２０や利用者端末３０とデータの送受信を行う通信部１３と、を備えている。
【００２４】
記憶部１１は、詳しくは、印面デザインデータベース（以下、印面デザインＤＢという）１０１を具備する構成となっている。図２（ｂ）に印面デザインＤＢ１０１のデータ構成の模式図を示す。
【００２５】
印面デザインＤＢ１０１は、浸透印５の製造シリアル番号と、浸透印５の印面デザインのデータと、を対応付けた印面デザイン管理データｄ１０１を記憶するデータベースである。すなわち、印面デザイン管理データｄ１０１は、利用者３が購入した未加工の浸透印５の製造シリアル番号と、利用者３が作成した印面デザインのデータと、が対応付けられたデータである。
【００２６】
制御部１２を、主たる機能ごとに細分化すると、印面デザイン作成支援部１０２、印面デザイン登録部１０３、及び印面デザイン取得部１０４に分類される。
【００２７】
印面デザイン作成支援部１０２は、利用者端末３０において浸透印５の印面デザインを作成する機能を提供する。例えば、予めデザイン素材（フレームデザイン、イラスト、フォントなど）を用意し、利用者３に提供したり、利用者３が文字の入力を可能としたり、自ら撮影した写真などの画像データを取り込み可能としたりする。
【００２８】
印面デザイン登録部１０３は、利用者３が利用者端末３０において作成した印面デザインのデータを、購入した浸透印５の製造シリアル番号と対応付けて印面デザインＤＢ１０１に登録する。
【００２９】
印面デザイン取得部１０４は、浸透印製造装置２０から印面デザインの取得要求として浸透印５の製造シリアル番号を受信した場合、受信した製造シリアル番号に対応した印面デザインのデータを印面デザインＤＢ１０１から取得して、浸透印製造装置２０に提供する。
【００３０】
なお、浸透印製造管理サーバ１０は、上述したようなアプリケーションサーバ、データベースサーバ、及びＷｅｂ（World  Wide  Web）サーバとしての機能を有しており、浸透印製造装置２０及び利用者端末３０とこれらの機能を活用した情報授受ができるようになっている。さらに、浸透印製造管理サーバ１０は、物理的に一つからなる装置の他、複数の装置がネットワーク接続されたシステムから構成されてもよく、複数の装置で構成された場合には、同一の場所にすべてが設置されていてもよいし、複数の場所に分散して設置されていてもよい。
【００３１】
図４は、浸透印製造装置２０の外観構成図（前面カバーを外した状態）であり、図５は、浸透印製造装置２０の概略機能構成図である。
【００３２】
浸透印製造装置２０は、詳しくは、図４及び図５に示すように、操作指示を入力する入力部２１と、浸透印製造に関する情報を表示する出力部２２と、一次元コード７を読み取る一次元コード読取部２３と、浸透印５を固定する保持機構部２４と、浸透印５の印面を加工する際に浸透印５を走査する位置決め部２５と、浸透印５の印面を加工するサーマルヘッド２６と、例えば、ＣＰＵ及びメモリ等から構成され、浸透印製造装置２０全体を制御して本実施の形態の後述する印面加工処理を実行する制御部２７と、通信ネットワーク４０を介して浸透印製造管理サーバ１０とデータの送受信を行う通信部２８と、を具備する構成である。
【００３３】
浸透印製造装置２０は、一次元コード読取部２３が一次元コード７を読み取ることを契機に、浸透印製造管理サーバ１０から該当する印面デザインのデータを受信し、受信した印面デザインのデータに基づいて、浸透印５の印面を加工する装置である。詳しくは、浸透印５を保持機構部２４に装着した後、位置決め部２５が浸透印５をサーマルヘッド２６の下に位置づけるので、位置決め部２５が浸透印５を規則的に移動させながら、印面デザインの細分化されたパターンに従ってサーマルヘッド２６を発熱させる。発熱部位は、浸透不要部分（印影以外の部分）である。これにより、印面の素材である多孔質樹脂がサーマルヘッド２６で加熱されて溶融し、多孔質樹脂の孔が塞がってインクの浸透を妨げるので、印影が印面に転写されるようになる。なお、サーマルヘッド２６と印面の間には、保護フィルムが装備されている。
【００３４】
図６は、利用者端末３０の機能構成図である。利用者端末３０は、例えば、スマートフォン、タブレット端末など利用者３が携行可能な情報処理端末の他、パーソナルコンピュータなどの情報処理端末であってもよい。ここでは、利用者端末３０をスマートフォン、タブレット端末などの情報処理端末として説明する。
【００３５】
利用者端末３０は、詳しくは、図６に示すように、記憶部３１と、ＵＩ（User  Interface）部３２と、撮影部３３と、制御部３４と、通信部３５と、を具備する構成である。
【００３６】
記憶部３１は、例えば、フラッシュメモリ等から構成され、制御部３４が制御に用いるデータやプログラムなどを記憶するようになっている。本実施の形態の記憶部３１には、ブラウザソフトなどのソフトがインストールされている。
【００３７】
ＵＩ部３２は、情報処理端末の入力部及び出力部（表示部）を兼ねるものであり、利用者３からの入力操作を受け付けるとともに、入力操作に応じて制御部３４にて処理された結果を出力（表示）するようになっている。例えば、表示画面を兼ねたタッチパネル、マイク、スピーカなどで構成されている。
【００３８】
撮影部３３は、カメラ機能により、浸透印セット５０の二次元コード６を撮影する。
【００３９】
制御部３４は、例えば、ＣＰＵ及びメモリ等から構成され、記憶部３１の制御や、各種データの転送、種々の演算、データの一時的な格納等を行うことにより、浸透印製造システム１００における利用者端末３０側の処理を実行する。
【００４０】
制御部３４は、浸透印製造システム１００の機能としては、二次元コード読取部３０１と、印面デザイン作成部３０２と、を有する。二次元コード読取部３０１は、撮影部３３により撮影された画像から二次元コード６の情報を読み取った後、ブラウザソフトを起動し、読み取った情報のアクセス情報（ＵＲＬ）に基づいて浸透印製造管理サーバ１０の印面デザイン作成画面にアクセスする。印面デザイン作成部３０２は、浸透印製造管理サーバ１０が提供する印面デザイン作成画面において浸透印５の印面デザインを作成する。具体的には、文字を入力したり、文字のフォントを選択したり、イラストを選択したり、画像データを取り込んだりして、所望の印面デザインを作成する。
【００４１】
通信部３５は、ブラウザソフトなどにより、通信ネットワーク４０を介して浸透印製造管理サーバ１０とデータの送受信を行うようになっている。
【００４２】
なお、利用者端末３０として、撮影部３３を備えていないパーソナルコンピュータを用いる場合には、印刷物に直接印字されていた浸透印製造管理サーバ１０のアドレスを示すＵＲＬを入力することにより、浸透印製造管理サーバ１０の印面デザイン作成画面にアクセスすることができる。
【００４３】
また、本実施の形態に係る浸透印製造システム１００の印面デザイン作成処理、及び印面加工処理を実行するプログラムは、浸透印製造管理サーバ１０、浸透印製造装置２０、及び利用者端末３０の上述したメモリなどの主記憶装置やハードディスクなどの補助記憶装置に格納されているものである。そして、このプログラムは、ハードディスク、フレキシブルディスク、ＣＤ（Compact  Disc）、ＤＶＤ（Digital  Versatile  Disc）、ＢＤ（Blu-ray（登録商標）Disc）などのコンピュータが読み取り可能な記録媒体に記録することも、通信ネットワークを介して配信することも可能である。
【００４４】
＜浸透印製造システムの動作＞
次に、図７及び図８を用いて、本実施の形態に係る浸透印製造システム１００の動作について説明する。ここで、図７は、浸透印製造システム１００の印面デザイン作成処理の流れを示すシーケンス図であり、図８は、浸透印製造システム１００の印面加工処理の流れを示すシーケンス図である。
【００４５】
＜印面デザイン作成処理＞
まず、図７を用いて、浸透印製造システム１００の印面デザイン作成処理について説明する。なお、印面デザイン作成処理では、利用者３が浸透印セット５０を手元に用意していることを前提としているので、以下では、利用者３は、所定の販売ルート（例えば、印章店やスーパーなどの店舗、Ｗｅｂサイトなどのオンラインなど）を介して、浸透印セット５０を購入した後の処理として説明する。
【００４６】
利用者３は、利用者端末３０を用いて、浸透印セット５０に同封された印刷物の二次元コード６を読み込む処理を行う（ステップＳ１０）。これにより、利用者端末３０は、二次元コード６に含まれるＵＲＬに基づいて、浸透印製造管理サーバ１０にアクセスする（ステップＳ２０）。この際、利用者端末３０は、浸透印製造管理サーバ１０へのアクセス要求とともに二次元コード６に含まれる製造シリアル番号を浸透印製造管理サーバ１０に送信する。
【００４７】
浸透印製造管理サーバ１０は、利用者端末３０からアクセス要求とともに製造シリアル番号を受信すると（ステップＳ３０）、受信した製造シリアル番号を、印面デザイン管理データｄ１０１として印面デザインＤＢ１０１に登録する（ステップＳ４０）。
【００４８】
次いで、浸透印製造管理サーバ１０は、アクセス要求を送信した利用者端末３０に、印面デザイン作成機能を提供すべく、印面デザイン作成画面を送信する（ステップＳ５０）。
【００４９】
利用者端末３０は、印面デザイン作成画面を受信すると、印面デザイン作成画面を表示する（ステップＳ６０）。これにより、利用者３は、利用者端末３０において、オリジナルの印面を作成することが可能となる。
【００５０】
利用者３は、利用者端末３０において、オリジナルの印面デザインを作成し（ステップＳ６０）、作成したオリジナルの印面デザインを浸透印製造管理サーバ１０に送信する（ステップＳ８０）。
【００５１】
浸透印製造管理サーバ１０は、利用者端末３０から印面デザインを受信すると（ステップＳ９０）、受信した印面デザインを印面デザイン管理データｄ１０１として印面デザインＤＢ１０１に登録する（ステップＳ１００）。具体的には、ステップＳ３０で受信した製造シリアル番号と、ステップＳ９０で受信した印面デザインと、を対応付けた印面デザイン管理データｄ１０１として印面デザインＤＢ１０１に登録する。これにより、製造シリアル番号と印面デザインが対応付けられることになる。
【００５２】
このように本実施の形態に係る浸透印製造システム１００の印面デザイン作成処理によれば、利用者３が有する利用者端末３０を用いて印面をデザインすることができるので、わざわざ店舗などに出向くこともなく、利用者３の都合の良いタイミングで所望の印面デザインを作成することができる。
【００５３】
また、浸透印製造管理サーバ１０は、製造シリアル番号と印面デザインを対応付けて記憶するデータベースを備えているので、利用者３ごとの印面デザインを容易に把握することができる。
【００５４】
＜印面加工処理＞
次に、図８を用いて、浸透印製造システム１００の印面加工処理について説明する。
【００５５】
なお、印面加工処理では、利用者３が購入した浸透印セット５０のうち、未加工の浸透印５及び一次元コード７を必要とするので、利用者３が、未加工の浸透印５及び一次元コード７を浸透印製造装置２０が設置された店２に携行しているものとして以後の説明を行う。
【００５６】
また、図８に示す印面加工処理は、浸透印製造装置２０が浸透印製造管理サーバ１０に認証された状態の後の処理の流れを示している。ここで、浸透印製造管理サーバ１０に認証されるとは、例えば、浸透印製造装置２０がＩＤ、パスワードなどの入力に基づいて、浸透印オンデマンド製造サービスのサービス提供対象装置であると認定されることを意味する。すなわち、浸透印製造管理サーバ１０は、接続中の浸透印製造装置２０を認識している状態で行われている。
【００５７】
まず、利用者３は、未加工の浸透印５を浸透印製造装置２０にセットする（ステップＳ１１０）。具体的には、浸透印製造装置２０の保持機構２４に装着する。
【００５８】
次に、利用者３は、浸透印セット５０に同封された印刷物の一次元コード７を浸透印製造装置２０に読み込ませる（ステップＳ１２０）。具体的には、浸透印製造装置２０の一次元コード読取部２３が一次元コード７をスキャンする。これにより、浸透印製造装置２０は浸透印製造管理サーバ１０にアクセスする（ステップＳ１３０）。この際、浸透印製造装置２０は、一次元コード７に含まれる製造シリアル番号を浸透印製造管理サーバ１０に送信する。
【００５９】
浸透印製造管理サーバ１０は、浸透印製造装置２０から製造シリアル番号を受信すると（ステップＳ１４０）、受信した製造シリアル番号に基づいて、印面デザインＤＢ１０１の中から該当する印面デザイン管理データｄ１０１を検索し、受信した製造シリアル番号に対応づけられた印面デザインのデータを取得する（ステップＳ１５０）。
【００６０】
次に、浸透印製造管理サーバ１０は、取得した印面デザインのデータを浸透印製造装置２０に送信する（ステップＳ１６０）。
【００６１】
浸透印製造装置２０は、浸透印製造管理サーバ１０から印面デザインのデータを受信すると（ステップＳ１７０）、受信した印面デザインのデータに基づいて、印面の加工を行う（ステップＳ１８０）。具体的には、制御部２７が、受信した印面デザインのデータに基づいて、位置決め部２５の移動及びサーマルヘッド２６の発熱を制御して、浸透印５の印面を加工する。
【００６２】
このように本実施の形態に係る浸透印製造システム１００の印面加工処理によれば、利用者３が、未加工の浸透印５を浸透印製造装置２０が設置された店２に持ち込み、一次元コード７を浸透印製造装置２０に読み込ませることにより、浸透印製造装置２０が浸透印製造管理サーバ１０から利用者３が作成した印面デザインを受信して、浸透印５の印面加工をするので、事前に印面デザインを作成しておけば、自らの都合の良い日時に所望の浸透印５を即時作成することが可能である。
【００６３】
以上、本実施の形態の浸透印製造システム１００によれば、利用者３が自らの利用者端末３０を用いて所望の印面をデザインすることができるとともに、自らがデザインした所望の印面を有する浸透印５を浸透印製造装置２０が設置された近傍の店２において製造することができるので、オリジナル印面の浸透印を迅速かつ容易に入手することができる。
【００６４】
なお、上記実施形態では、利用者端末３０は、ブラウザソフトの機能を利用して印面デザイン作成部３０２を備えるようにしたが、浸透印オンデマンド製造サービスを利用するための端末用アプリケーションソフトをインストールすることにより、印面デザイン作成部３０２を備えるようにしてもよい。
【００６５】
また、上記実施形態では、浸透印セット５０が販売されていることを前提に説明をしたが、広義には有料で販売されているものに限定されない。例えば、懸賞品などのプレゼントなど、社会的に取引可能な商品として流通していればよい。
【００６６】
また、上記実施形態の浸透印セット５０の印刷物には、二次元コード６と一次元コード７の両方がそれぞれ印字されていたが、二次元コード６だけでもよい。ただし、この場合には、浸透印製造装置２０が、一次元コード７を読み取る一次元コード読取部２３ではなく、二次元コード７を読み取る二次元コード読取部２３Ａを備えることが前提となる。さらには、浸透印製造管理サーバ１０のアドレスを示すＵＲＬ（Uniform Resource Locator）と、浸透印５を一意に識別可能な製造シリアル番号と、を含む情報が格納されたＩＣチップ（例えば、ＲＦＩＤ（radio frequency identifier）など）を浸透印セット５０の同封物や浸透印５自体に埋め込むことにより、二次元コード６や一次元コード７と同様の機能を実現するようにしてもよい。勿論、この場合には、利用者端末３０及び浸透印製造装置２０は、ＩＣチップに格納された情報を読み取る機能を有することが前提となる。
【００６７】
以上、本発明の実施の形態について説明してきたが、本発明は、上述した実施の形態に限られるものではなく、本発明の要旨を逸脱しない範囲において、本発明の実施の形態に対して種々の変形や変更を施すことができ、そのような変形や変更を伴うものもまた、本発明の技術的範囲に含まれるものである。また、発明の実施の形態に記載された、作用及び効果は、本発明から生じる最も好適な作用及び効果を列挙したに過ぎず、本発明による作用及び効果は、本発明の実施の形態に記載されたものに限定されるものではない。
【符号の説明】
【００６８】
１  管理会社
２  店
３  利用者
５  浸透印
６  二次元コード
７  一次元コード
１０  浸透印製造管理サーバ
１１，３１  記憶部
１２，２７，３４  制御部
１３，２８，３５  通信部
２０  浸透印製造装置
２１  入力部
２２  出力部
２３  一次元コード読取部
２４  保持機構部
２５  位置決め部
２６  サーマルヘッド
３０  利用者端末
３２  ＵＩ部
３３  撮影部
４０  通信ネットワーク
５０  浸透印セット
１００  浸透印製造システム
１０１  印面デザインＤＢ
１０２  印面デザイン作成支援部
１０３  印面デザイン登録部
１０４  印面デザイン取得部
３０１  二次元コード読取部
３０２  印面デザイン作成部
ｄ１０１  印面デザイン管理データ
【図１】
2020199741.tif 000003
【図２】
2020199741.tif 000004
【図３】
2020199741.tif 000005
【図４】
2020199741.tif 000006
【図５】
2020199741.tif 000007
【図６】
2020199741.tif 000008
【図７】
2020199741.tif 000009
【図８】
2020199741.tif 000010